(57)【要約】【課題】多大な管理コストを必要とすることなく、放送事業者のコントロールの下、外部のネットワークを経由した受信側の装置間でコンテンツを共有することができるコンテンツ共有制御装置及びコンテンツ共有被制御装置、並びに、コンテンツ共有制御プログラム及びコンテンツ共有被制御プログラムを提供する。【解決手段】コンテンツ共有制御装置１は、受信側で受信された暗号化コンテンツを復号したコンテンツを当該受信側の装置間で共有する共有コンテンツとして取り扱いが可能なことを示す情報であるコンテンツ共有許可情報Ｉｃ及び当該共有コンテンツを再暗号化するためのコンテンツ蓄積鍵Ｋｃをワーク鍵Ｋｗで暗号化したコンテンツ蓄積鍵情報を送信することで、前記受信側の装置におけるコンテンツの共有利用を制御するもので、コンテンツ蓄積鍵情報生成手段９と、多重化信号送信手段１３と、を備えた。【選択図】図２
2008177889.tif 000002
【特許請求の範囲】
【請求項１】
コンテンツを暗号化した暗号化コンテンツとワーク鍵を暗号化したＥＭＭとを送信する送信側において、受信側の装置における前記コンテンツの共有利用を制御するコンテンツ共有制御装置であって、
前記コンテンツを当該受信側の装置間で共有する共有コンテンツとして取り扱いが可能なことを示すコンテンツ共有許可情報と、当該共有コンテンツを再暗号化するのに用いるコンテンツ蓄積鍵とを、前記ワーク鍵を用いて暗号化し、コンテンツ蓄積鍵情報として生成するコンテンツ蓄積鍵情報生成手段と、
このコンテンツ蓄積鍵情報生成手段で生成されたコンテンツ蓄積鍵情報を前記受信側の装置に送信するコンテンツ蓄積鍵情報送信手段と、
を備えることを特徴とするコンテンツ共有制御装置。
【請求項２】
コンテンツを暗号化した暗号化コンテンツとワーク鍵を暗号化したＥＭＭとを送信する送信側において、受信側の装置における前記コンテンツの共有利用を制御するコンテンツ共有制御装置であって、
前記コンテンツを当該受信側の装置間で共有する共有コンテンツとして取り扱う際に、当該装置間で認証を行うための認証鍵と、前記共有コンテンツとして取り扱いが可能なことを示すコンテンツ共有許可情報及び当該共有コンテンツを再暗号化するのに用いるコンテンツ蓄積鍵を再暗号化するための共有鍵とを、前記ワーク鍵を用いて暗号化し、共有化情報として生成する共有化情報生成手段と、
この共有化情報生成手段で生成された共有化情報を前記受信側の装置に送信する共有化情報送信手段と、
を備えることを特徴とするコンテンツ共有制御装置。
【請求項３】
コンテンツを暗号化した暗号化コンテンツとワーク鍵を暗号化したＥＭＭとを送信する送信側において、受信側の装置における前記コンテンツの共有利用を制御するコンテンツ共有制御装置であって、
前記コンテンツを当該受信側の装置間で共有する共有コンテンツとして取り扱いが可能なことを示すコンテンツ共有許可情報と、当該共有コンテンツを再暗号化するのに用いるコンテンツ蓄積鍵とを、前記ワーク鍵を用いて暗号化し、コンテンツ蓄積鍵情報として生成するコンテンツ蓄積鍵情報生成手段と、
前記受信側の装置間で認証を行うための認証鍵と前記コンテンツ共有許可情報及び前記コンテンツ蓄積鍵を再暗号化するための共有鍵とを、前記ワーク鍵を用いて暗号化した共有化情報を生成する共有化情報生成手段と、
前記コンテンツ蓄積鍵情報生成手段で生成されたコンテンツ蓄積鍵情報と、前記共有化情報生成手段で生成された共有化情報とを多重化して前記受信側の装置に送信する多重化送信手段と、
を備えることを特徴とするコンテンツ共有制御装置。
【請求項４】
請求項１に記載のコンテンツ共有制御装置から送信されたコンテンツ蓄積鍵情報、暗号化コンテンツ及びＥＭＭを受信し、受信した暗号化コンテンツを、ＥＭＭを復号して得たワーク鍵によって復号する受信側において、復号したコンテンツの共有利用が制御されるコンテンツ共有被制御装置であって、
前記コンテンツ蓄積鍵情報を受信するコンテンツ蓄積鍵情報受信手段と、
このコンテンツ蓄積鍵情報受信手段で受信されたコンテンツ蓄積鍵情報を、前記ワーク鍵で復号するコンテンツ蓄積鍵情報復号手段と、
このコンテンツ蓄積鍵情報復号手段で復号されたコンテンツ蓄積鍵情報から取得されたコンテンツ共有許可情報に基づき、前記共有コンテンツとして取り扱いが可能である場合に、当該コンテンツ蓄積鍵情報から取得されたコンテンツ蓄積鍵を用いて、前記コンテンツを再び暗号化する再暗号化手段と、
を備えることを特徴とするコンテンツ共有被制御装置。
【請求項５】
請求項２に記載のコンテンツ共有制御装置から送信された共有化情報、暗号化コンテンツ及びＥＭＭを受信し、受信した暗号化コンテンツを、ＥＭＭを復号して得たワーク鍵によって復号する受信側において、復号したコンテンツの共有利用が制御されるコンテンツ共有被制御装置であって、
前記共有化情報を受信する共有化情報受信手段と、
この共有化情報受信手段で受信された共有化情報を、前記ワーク鍵で復号する共有化情報復号手段と、
この共有化情報復号手段で復号された共有化情報から取得された共有鍵を用いて、復号されたコンテンツを他の装置間で共有する共有コンテンツとして取り扱いが可能なことを示す情報であるコンテンツ共有許可情報及び当該共有コンテンツを再暗号化するのに用いるコンテンツ蓄積鍵を再び暗号化するコンテンツ蓄積鍵情報暗号化手段と、
前記共有化情報復号手段で復号された共有化情報から取得された認証鍵を用いて、他の装置が前記共有コンテンツの取り扱いを可能か否か認証し、取り扱い可能な場合に当該共有コンテンツを当該他の装置に通信する認証通信手段と、
を備えることを特徴とするコンテンツ共有被制御装置。
【請求項６】
前記共有化情報復号手段で復号された共有化情報から取得された共有鍵を用いて、前記コンテンツを他の装置間で共有する共有コンテンツとして取り扱いが可能なことを示す情報であるコンテンツ共有許可情報及び当該共有コンテンツを再暗号化するのに用いるコンテンツ蓄積鍵を復号するコンテンツ蓄積鍵情報復号手段と、
このコンテンツ蓄積鍵情報復号手段で復号されたコンテンツ共有許可情報を用いて、復号されたコンテンツが共有コンテンツであるか否かを判定すると共に、復号されたコンテンツ蓄積鍵を用いて、暗号化された共有コンテンツを復号する復号手段と、
を備えることを特徴とする請求項５に記載のコンテンツ共有被制御装置。
【請求項７】
請求項３に記載のコンテンツ共有制御装置から送信された多重化信号、暗号化コンテンツ及びＥＭＭを受信し、受信した暗号化コンテンツを、ＥＭＭを復号して得たワーク鍵によって復号する受信側において、復号したコンテンツの共有利用が制御されるコンテンツ共有被制御装置であって、
前記多重化信号を受信し、コンテンツ蓄積鍵情報と共有化情報とに分離する受信分離手段と、
この受信分離手段で分離されたコンテンツ蓄積鍵情報を、前記ワーク鍵で復号するコンテンツ蓄積鍵情報復号手段と、
このコンテンツ蓄積鍵情報復号手段で復号されたコンテンツ蓄積鍵情報から取得されたコンテンツ共有許可情報に基づき、当該コンテンツ蓄積鍵情報から取得されたコンテンツ蓄積鍵を用いて、前記コンテンツを再び暗号化する再暗号化手段と、
前記受信分離手段で分離された共有化情報を、前記ワーク鍵で復号する共有化情報復号手段と、
この共有化情報復号手段で復号された共有化情報から取得された共有鍵を用いて、前記コンテンツ共有許可情報及び前記コンテンツ蓄積鍵を再び暗号化するコンテンツ蓄積鍵情報暗号化手段と、
前記共有化情報復号手段で復号された共有化情報から取得された認証鍵を用いて、他の装置が前記共有コンテンツの取り扱いを可能か否か認証し、取り扱い可能な場合に当該共有コンテンツを当該他の装置に通信する認証通信手段と、
を備えることを特徴とするコンテンツ共有被制御装置。
【請求項８】
コンテンツを暗号化した暗号化コンテンツとワーク鍵を暗号化したＥＭＭとを送信する送信側において、受信側の装置における前記コンテンツの共有利用を制御するために、コンピュータを、
前記コンテンツを当該受信側の装置間で共有する共有コンテンツとして取り扱いが可能なことを示すコンテンツ共有許可情報と、当該共有コンテンツを再暗号化するのに用いるコンテンツ蓄積鍵とを、前記ワーク鍵を用いて暗号化し、コンテンツ蓄積鍵情報として生成するコンテンツ蓄積鍵情報生成手段、
前記受信側の装置間で認証を行うための認証鍵と前記コンテンツ共有許可情報及び前記コンテンツ蓄積鍵を再暗号化するための共有鍵とを、前記ワーク鍵を用いて暗号化し、共有化情報として生成する共有化情報生成手段、
前記コンテンツ蓄積鍵情報生成手段で生成されたコンテンツ蓄積鍵情報と、前記共有化情報生成手段で生成された共有化情報とを多重化して前記受信側の装置に送信する多重化送信手段、
として機能させることを特徴とするコンテンツ共有制御プログラム。
【請求項９】
請求項８に記載のコンテンツ共有制御プログラムを用いて送信された多重化信号、暗号化コンテンツ及びＥＭＭを受信し、受信した暗号化コンテンツを、ＥＭＭを復号して得たワーク鍵によって復号する受信側において、復号したコンテンツの共有利用が制御されるために、コンピュータを、
前記多重化信号を受信し、コンテンツ蓄積鍵情報と共有化情報とに分離する受信分離手段、
この受信分離手段で分離されたコンテンツ蓄積鍵情報を、前記ワーク鍵で復号するコンテンツ蓄積鍵情報復号手段、
このコンテンツ蓄積鍵情報復号手段で復号されたコンテンツ蓄積鍵情報から取得されたコンテンツ共有許可情報に基づき、当該コンテンツ蓄積鍵情報から取得されたコンテンツ蓄積鍵を用いて、前記コンテンツを再び暗号化する再暗号化手段、
前記受信分離手段で分離された共有化情報を、前記ワーク鍵で復号する共有化情報復号手段、
この共有化情報復号手段で復号された共有化情報から取得された共有鍵を用いて、前記コンテンツ共有許可情報及び前記コンテンツ蓄積鍵を再び暗号化するコンテンツ蓄積鍵情報暗号化手段、
前記共有化情報復号手段で復号された共有化情報から取得された認証鍵を用いて、他の装置が前記共有コンテンツの取り扱いを可能か否か認証し、取り扱い可能な場合に当該共有コンテンツを当該他の装置に通信する認証通信手段、
として機能させることを特徴とするコンテンツ共有被制御プログラム。
【発明の詳細な説明】
【技術分野】
【０００１】
本発明は、コンテンツを受信した受信側において、受信側の装置間で当該コンテンツの共有を制御するコンテンツ共有制御装置及びコンテンツ共有制御プログラム、並びに、制御されるコンテンツ共有被制御装置及びコンテンツ共有被制御プログラムに関する。
【背景技術】
【０００２】
従来、放送事業者等のコンテンツを送信する送信側で当該コンテンツを暗号化し、この暗号化コンテンツと、受信側においてコンテンツのコピー許可、コピー回数等を規定したコピー制御情報とを併せて（通常、多重化して）受信側の装置に送信する。そして、受信側の装置では、受信した暗号化コンテンツを復号し、コピー制御情報に従って、受信側の装置内で生成した暗号鍵で、復号したコンテンツを再暗号化して蓄積する。
【０００３】
ところで、現在の受信側の装置、例えば、デジタル放送受信装置は、当該装置にＬＡＮ用の通信回線が接続されて、家庭内ネットワークを構築している場合がある。また、デジタル放送受信装置は、デジタル放送を受信できるだけではなく、インターネット等の外部のネットワークに接続されて、ネットワーク経由で様々なコンテンツを取得することができるようになっている。
【０００４】
なお、デジタル放送受信装置がインターネット等の外部のネットワークに接続されている場合、コンテンツの取得はできるものの、蓄積したコンテンツの出力は、当該コンテンツの著作権保護（不正コピー、不正利用の防止）の観点から一切禁止されている。しかし、受信側の視聴者には、インターネット等の外部のネットワークに接続されたデジタル放送受信装置に蓄積したコンテンツを外部のネットワークに再送信し、外部のネットワークを経由した受信側の装置間で当該コンテンツを共有したいとの要望がある。そして、この外部のネットワークを経由して当該コンテンツを共有することを、放送事業者がコントロールする仕組みが開示されている（例えば、特許文献１参照）。
【０００５】
この特許文献１では、受信側の装置それぞれにグループ鍵を配送することで、このグループ鍵を使用してコンテンツを共有できる範囲を制御し、受信側の装置間でコンテンツを共有する方法が開示されている。
【特許文献１】特開２００６−２８７７６９号公報
【発明の開示】
【発明が解決しようとする課題】
【０００６】
しかしながら、特許文献１に開示されているコンテンツを共有する方法では、例えば、受信側の装置が数億台程度存在する場合に、受信側の装置それぞれに配送するグループ鍵を、数千万のグループに分けて管理する必要があり、グループ鍵を管理するのに多大な管理コストが必要になるという問題がある。
【０００７】
そこで、本発明では、前記した問題を解決し、多大な管理コストを必要とすることなく、放送事業者のコントロールの下、外部のネットワークを経由した受信側の装置間でコンテンツを共有することができるコンテンツ共有制御装置及びコンテンツ共有被制御装置、並びに、コンテンツ共有制御プログラム及びコンテンツ共有被制御プログラムを提供することを目的とする。
【課題を解決するための手段】
【０００８】
前記課題を解決するため、請求項１に記載のコンテンツ共有制御装置は、コンテンツを暗号化した暗号化コンテンツとワーク鍵を暗号化したＥＭＭとを送信する送信側において、受信側の装置における前記コンテンツの共有利用を制御するコンテンツ共有制御装置であって、コンテンツ蓄積鍵情報生成手段と、コンテンツ蓄積鍵情報送信手段と、を備える構成とした。
【０００９】
かかる構成によれば、コンテンツ共有制御装置は、コンテンツ蓄積鍵情報生成手段によって、コンテンツを当該受信側の装置間で共有する共有コンテンツとして取り扱いが可能なことを示す情報であるコンテンツ共有許可情報と、当該共有コンテンツを再暗号化するためのコンテンツ蓄積鍵とを、ワーク鍵を用いて暗号化し、コンテンツ蓄積鍵情報として生成する。そして、コンテンツ共有制御装置は、コンテンツ蓄積鍵情報送信手段によって、コンテンツ蓄積鍵情報生成手段で生成されたコンテンツ蓄積鍵情報を受信側の装置に送信する。
【００１０】
請求項２に記載のコンテンツ共有制御装置は、コンテンツを暗号化した暗号化コンテンツとワーク鍵を暗号化したＥＭＭとを送信する送信側において、受信側の装置における前記コンテンツの共有利用を制御するコンテンツ共有制御装置であって、共有化情報生成手段と、共有化情報送信手段と、を備える構成とした。
【００１１】
かかる構成によれば、コンテンツ共有制御装置は、共有化情報生成手段によって、コンテンツを当該受信側の装置間で共有する共有コンテンツとして取り扱う際に、当該装置間で認証を行うための認証鍵と、前記共有コンテンツとして取り扱いが可能なことを示す情報であるコンテンツ共有許可情報及び当該共有コンテンツを再暗号化するためのコンテンツ蓄積鍵を再暗号化するための共有鍵とを、ワーク鍵を用いて暗号化し、共有化情報として生成する。そして、コンテンツ共有制御装置は、共有化情報送信手段によって、共有化情報生成手段で生成された共有化情報を受信側の装置に送信する。
【００１２】
請求項３に記載のコンテンツ共有制御装置は、コンテンツを暗号化した暗号化コンテンツとワーク鍵を暗号化したＥＭＭとを送信する送信側において、受信側の装置における前記コンテンツの共有利用を制御するコンテンツ共有制御装置であって、コンテンツ蓄積鍵情報生成手段と、共有化情報生成手段と、多重化送信手段と、を備える構成とした。
【００１３】
かかる構成によれば、コンテンツ共有制御装置は、コンテンツ蓄積鍵情報生成手段によって、コンテンツを当該受信側の装置間で共有する共有コンテンツとして取り扱いが可能なことを示す情報であるコンテンツ共有許可情報と、当該共有コンテンツを再暗号化するためのコンテンツ蓄積鍵とを、ワーク鍵を用いて暗号化し、コンテンツ蓄積鍵情報として生成する。また、コンテンツ共有制御装置は、共有化情報生成手段によって、当該受信側の装置間で認証を行うための認証鍵と前記コンテンツ共有許可情報及び前記コンテンツ蓄積鍵を再暗号化するための共有鍵とを、前記ワーク鍵を用いて暗号化し、共有化情報として生成する。そして、コンテンツ共有制御装置は、多重化送信手段によって、コンテンツ蓄積鍵情報生成手段で生成されたコンテンツ蓄積鍵情報と、共有化情報生成手段で生成された共有化情報とを多重化して送信する。なお、この多重化送信手段は、暗号化コンテンツとＥＭＭとを更に多重化して送信してもよい。
【００１４】
請求項４に記載のコンテンツ共有被制御装置は、請求項１に記載のコンテンツ共有制御装置から送信されたコンテンツ蓄積鍵情報、暗号化コンテンツ及びＥＭＭを受信し、受信した暗号化コンテンツを、ＥＭＭを復号して得たワーク鍵によって復号する受信側において、復号したコンテンツの共有利用が制御されるコンテンツ共有被制御装置であって、コンテンツ蓄積鍵情報受信手段と、コンテンツ蓄積鍵情報復号手段と、再暗号化手段と、を備える構成とした。
【００１５】
かかる構成によれば、コンテンツ共有被制御装置は、コンテンツ蓄積鍵情報受信手段によって、コンテンツ蓄積鍵情報を受信する。続いて、コンテンツ共有被制御装置は、コンテンツ蓄積鍵情報復号手段によって、コンテンツ蓄積鍵情報受信手段で受信されたコンテンツ蓄積鍵情報を、ワーク鍵で復号する。そして、コンテンツ共有被制御装置は、再暗号化手段によって、コンテンツ蓄積鍵情報復号手段で復号されたコンテンツ蓄積鍵情報から取得されたコンテンツ共有許可情報に基づき、当該コンテンツ蓄積鍵情報から取得されたコンテンツ蓄積鍵を用いて、コンテンツを再び暗号化する。
【００１６】
請求項５に記載のコンテンツ共有被制御装置は、請求項２に記載のコンテンツ共有制御装置から送信された共有化情報、暗号化コンテンツ及びＥＭＭを受信し、受信した暗号化コンテンツを、ＥＭＭを復号して得たワーク鍵によって復号する受信側において、復号したコンテンツの共有利用が制御されるコンテンツ共有被制御装置であって、共有化情報受信手段と、共有化情報復号手段と、コンテンツ蓄積鍵情報暗号化手段と、認証通信手段と、を備える構成とした。
【００１７】
かかる構成によれば、コンテンツ共有被制御装置は、共有化情報受信手段によって、共有化情報を受信する。続いて、コンテンツ共有被制御装置は、共有化情報復号手段によって、共有化情報受信手段で受信された共有化情報を、ワーク鍵で復号する。コンテンツ共有被制御装置は、コンテンツ蓄積鍵情報暗号化手段によって、共有化情報復号手段で復号された共有化情報から取得された共有鍵を用いて、コンテンツを他の装置間で共有する共有コンテンツとして取り扱いが可能なことを示す情報であるコンテンツ共有許可情報及び当該共有コンテンツを再暗号化するためのコンテンツ蓄積鍵を再び暗号化する。そして、コンテンツ共有被制御装置は、認証通信手段によって、共有化情報復号手段で復号された共有化情報から取得された認証鍵を用いて、他の装置が共有コンテンツの取り扱いを可能か否か認証し、取り扱い可能な場合に当該共有コンテンツを当該他の装置に通信する。
【００１８】
請求項６に記載のコンテンツ共有被制御装置は、請求項５に記載のコンテンツ共有被制御装置において、コンテンツ蓄積鍵情報復号手段と、復号手段と、を備える構成とした。
【００１９】
かかる構成によれば、コンテンツ共有被制御装置は、コンテンツ蓄積鍵情報復号手段によって、共有化情報復号手段で復号された共有化情報から取得された共有鍵を用いて、取得されたコンテンツを他の装置間で共有する共有コンテンツとして取り扱いが可能なことを示す情報であるコンテンツ共有許可情報及び当該共有コンテンツを再暗号化するためのコンテンツ蓄積鍵を復号する。そして、コンテンツ共有被制御装置は、復号手段によって、コンテンツ蓄積鍵情報復号手段で復号されたコンテンツ共有許可情報を用いて、コンテンツが共有コンテンツであるか否かを判定すると共に、復号されたコンテンツ蓄積鍵を用いて、暗号化された共有コンテンツを復号する。
【００２０】
請求項７に記載のコンテンツ共有被制御装置は、請求項３に記載のコンテンツ共有制御装置から送信された多重化信号、暗号化コンテンツ及びＥＭＭを受信し、受信した暗号化コンテンツを、ＥＭＭを復号して得たワーク鍵によって復号する受信側において、復号したコンテンツの共有利用が制御されるコンテンツ共有被制御装置であって、受信分離手段と、コンテンツ蓄積鍵情報復号手段と、再暗号化手段と、共有化情報復号手段と、コンテンツ蓄積鍵情報暗号化手段と、認証通信手段と、を備える構成とした。
【００２１】
かかる構成によれば、コンテンツ共有被制御装置は、受信分離手段によって、多重化信号を受信し、コンテンツ蓄積鍵情報と共有化情報とに分離する。続いて、コンテンツ共有被制御装置は、コンテンツ蓄積鍵情報復号手段によって、受信分離手段で分離されたコンテンツ蓄積鍵情報を、ワーク鍵で復号する。そして、コンテンツ共有被制御装置は、再暗号化手段によって、コンテンツ蓄積鍵情報復号手段で復号されたコンテンツ蓄積鍵情報から取得されたコンテンツ共有許可情報に基づき、当該コンテンツ蓄積鍵情報から取得されたコンテンツ蓄積鍵を用いて、コンテンツを再び暗号化する。また、コンテンツ共有被制御装置は、共有化情報復号手段によって、受信分離手段で分離された共有化情報を、ワーク鍵で復号する。続いて、コンテンツ共有被制御装置は、コンテンツ蓄積鍵情報暗号化手段によって、共有化情報復号手段で復号された共有化情報から取得された共有鍵を用いて、コンテンツ共有許可情報及びコンテンツ蓄積鍵を再び暗号化する。そして、コンテンツ共有被制御装置は、認証通信手段によって、共有化情報復号手段で復号された共有化情報から取得された認証鍵を用いて、他の装置が共有コンテンツの取り扱いを可能か否か認証し、取り扱い可能な場合に当該共有コンテンツを当該他の装置に通信する。
【００２２】
請求項８に記載のコンテンツ共有制御プログラムは、コンテンツを暗号化した暗号化コンテンツとワーク鍵を暗号化したＥＭＭとを送信する送信側において、受信側の装置における前記コンテンツの共有利用を制御するために、コンピュータを、コンテンツ蓄積鍵情報生成手段、共有化情報生成手段、多重化送信手段、として機能させる構成とした。
【００２３】
かかる構成によれば、コンテンツ共有制御プログラムは、コンテンツ蓄積鍵情報生成手段によって、コンテンツを当該受信側の装置間で共有する共有コンテンツとして取り扱いが可能なことを示す情報であるコンテンツ共有許可情報と、当該共有コンテンツを再暗号化するためのコンテンツ蓄積鍵とを、ワーク鍵を用いて暗号化し、コンテンツ蓄積鍵情報として生成する。また、コンテンツ共有制御プログラムは、共有化情報生成手段によって、当該受信側の装置間で認証を行うための認証鍵とコンテンツ共有許可情報及びコンテンツ蓄積鍵を再暗号化するための共有鍵とを、ワーク鍵を用いて暗号化し、共有化情報として生成する。そして、コンテンツ共有制御プログラムは、多重化送信手段によって、コンテンツ蓄積鍵情報生成手段で生成されたコンテンツ蓄積鍵情報と、共有化情報生成手段で生成された共有化情報とを多重化して受信側の装置に送信する。
【００２４】
請求項９に記載のコンテンツ共有被制御プログラムは、請求項８に記載のコンテンツ共有制御プログラムを用いて送信された多重化信号、暗号化コンテンツ及びＥＭＭを受信し、受信した暗号化コンテンツを、ＥＭＭを復号して得たワーク鍵によって復号する受信側において、復号したコンテンツの共有利用が制御されるために、コンピュータを、受信分離手段、コンテンツ蓄積鍵情報復号手段、再暗号化手段、共有化情報復号手段、コンテンツ蓄積鍵情報暗号化手段、認証通信手段、として機能させる構成とした。
【００２５】
かかる構成によれば、コンテンツ共有被制御プログラムは、受信分離手段によって、多重化信号を受信し、コンテンツ蓄積鍵情報と共有化情報とに分離する。続いて、コンテンツ共有被制御プログラムは、コンテンツ蓄積鍵情報復号手段によって、受信分離手段で分離されたコンテンツ蓄積鍵情報を、ワーク鍵で復号する。そして、コンテンツ共有被制御プログラムは、再暗号化手段によって、コンテンツ蓄積鍵情報復号手段で復号されたコンテンツ蓄積鍵情報から取得されたコンテンツ共有許可情報に基づき、当該コンテンツ蓄積鍵情報から取得されたコンテンツ蓄積鍵を用いて、コンテンツを再び暗号化する。また、コンテンツ共有被制御プログラムは、共有化情報復号手段によって、受信分離手段で分離された共有化情報を、ワーク鍵で復号する。続いて、コンテンツ共有被制御プログラムは、コンテンツ蓄積鍵情報暗号化手段によって、共有化情報復号手段で復号された共有化情報から取得された共有鍵を用いて、コンテンツ共有許可情報及びコンテンツ蓄積鍵を再び暗号化する。そして、コンテンツ共有被制御プログラムは、認証通信手段によって、共有化情報復号手段で復号された共有化情報から取得された認証鍵を用いて、他の装置が共有コンテンツの取り扱いを可能か否か認証し、取り扱い可能な場合に当該共有コンテンツを当該他の装置に通信する。
【発明の効果】
【００２６】
請求項１、４に記載の発明によれば、コンテンツ共有許可情報によって、共有コンテンツが共有できる範囲を受信側の装置全体という大きな括りで制御すると共に、共有コンテンツごとに共有利用する条件を設定しているので、従来のように、受信側の装置をグループ化した上で、グループ鍵を管理する場合よりも多大な管理コストが生じず、放送事業者のコントロールの下、共有コンテンツを利用できる受信側の装置を設定することができる。また、受信側の装置内で従来利用されていた当該装置特有の暗号鍵を用いず、送信側で規定したコンテンツ蓄積鍵を用いて共有コンテンツを再暗号化するようにしているので、このコンテンツ蓄積鍵により外部のネットワークを経由した受信側の装置間で共有コンテンツを暗号化して共有することができる。
【００２７】
請求項２、５に記載の発明によれば、認証鍵によって、受信側の装置間の認証を行っているので、共有コンテンツを、例えば、契約した視聴者所有の受信側の装置間のみに流通できるように設定することができる。また、共有鍵によって、コンテンツ共有許可情報及びコンテンツ蓄積鍵を再暗号化しているので、コンテンツ共有許可情報及びコンテンツ蓄積鍵の漏洩を防止することができる。
【００２８】
請求項３、７、８、９に記載の発明によれば、コンテンツ共有許可情報によって、放送事業者のコントロールの下、共有コンテンツを利用できる受信側の装置を設定することができる。また、送信側で規定したコンテンツ蓄積鍵を用いて共有コンテンツを再暗号化することで、外部のネットワークを経由しても、受信側の装置間でコンテンツを共有することができる。さらに、認証鍵によって、受信側の装置間の認証を行っているので、共有コンテンツを、例えば、契約した視聴者所有の受信側の装置間のみに流通できるように設定することができる。また、共有鍵によって、コンテンツ共有許可情報及びコンテンツ蓄積鍵を再暗号化しているので、コンテンツ共有許可情報及びコンテンツ蓄積鍵の漏洩を防止することができる。
【００２９】
請求項６に記載の発明によれば、再暗号化したコンテンツ共有許可情報及びコンテンツ蓄積鍵を、共有鍵で復号し、復号したコンテンツ共有許可情報及びコンテンツ蓄積鍵を用いて、暗号化した共有コンテンツを復号して利用することができる。
【発明を実施するための最良の形態】
【００３０】
次に、本発明の実施形態について、適宜、図面を参照しながら詳細に説明する。
図１は、コンテンツ共有制御システム（コンテンツ共有制御装置及びコンテンツ共有被制御装置を包含）の全体を示した概要図である。このコンテンツ共有制御システムは、放送事業者等の設備の一部である送信側の装置（後記するコンテンツ共有制御装置１）と、一般の家庭等に設置されている受信側の装置（後記するコンテンツ共有被制御装置２１、５１）とから構成されている。
【００３１】
受信側の装置は、大まかに、コンテンツを送信側の装置から放送又は通信により直接受け取る受信側Ａ（コンテンツ共有被制御装置２１）と、コンテンツを送信側の装置から放送時電源ＯＦＦ等の理由で受け取らず、この受信側Ａから当該コンテンツをダウンロード又はストリーミング受信する受信側Ｂ（コンテンツ共有被制御装置５１）とから構成されている。なお、このコンテンツをダウンロード又はストリーミング受信する場合、受信側Ｂには、蓄積手段（図示せず）を必ずしも備える必要はない。
【００３２】
ここで、受信側Ａから受信側Ｂへのコンテンツのダウンロード又はストリーミング受信を、他の受信側の装置に無制限に繰り返すことを仮定した場合、不特定多数の受信側の装置に、当該コンテンツを再送信することになり、コンテンツの著作権を保護する観点からすると、私的視聴の範疇を超えてしまい、著作権侵害を構成することになる。
【００３３】
そこで、このコンテンツ共有制御システムでは、送信側の装置において、送信する各コンテンツについて、共有可能な受信側の装置を指定することができ、コンテンツごとに共有条件を設定可能な仕組みが実現されている。以下、コンテンツ共有制御システムの送信側の装置であるコンテンツ共有制御装置の構成と、受信側の装置であるコンテンツ共有被制御装置の構成と、コンテンツ共有制御システムの全体動作について説明する。
【００３４】
（コンテンツ共有制御装置の構成）
図２はコンテンツ共有制御装置のブロック図である。この図２に示すように、コンテンツ共有制御装置１は、映像、音声、データ等のコンテンツＣを暗号化した暗号化コンテンツＥＣと、ＥＣＭ、ＥＭＭ、コンテンツ蓄積鍵情報及び共有化情報を多重化した多重化信号を送信するもので、スクランブル手段３と、ＥＣＭ生成手段５と、ＥＭＭ生成手段７と、コンテンツ蓄積鍵情報生成手段９と、共有化情報生成手段１１と、多重化送信手段（コンテンツ蓄積鍵情報送信手段、共有化情報送信手段を包含）１３とを備えている。
【００３５】
スクランブル手段３は、入力されたコンテンツＣに、スクランブル鍵Ｋｓを用いて暗号化し、暗号化コンテンツＥＣを生成して、多重化送信手段１３に出力するものである。スクランブル鍵Ｋｓは、数秒程度で変更される時変鍵である。
【００３６】
ＥＣＭ生成手段５は、スクランブル鍵Ｋｓを、ワーク鍵Ｋｗを用いて暗号化し、ＭＰＥＧ−２ｓｙｓｔｅｍｓで規定されるＥＣＭ（Ｅｎｔｉｔｌｅｍｅｎｔ  Ｃｏｎｔｒｏｌ  Ｍｅｓｓａｇｅ：共通情報）を生成して、多重化送信手段１３に出力するものである。ワーク鍵Ｋｗは、事業者単位や放送サービス単位に付与される鍵である。
【００３７】
ＥＭＭ生成手段７は、ワーク鍵Ｋｗを、マスター鍵Ｋｍを用いて暗号化し、ＭＰＥＧ−２ｓｙｓｔｅｍｓで規定されるＥＭＭ（Ｅｎｔｉｔｌｅｍｅｎｔ  Ｍａｎａｇｅｍｅｎｔ  Ｍｅｓｓａｇｅ：個別情報）を生成して、多重化送信手段１３に出力するものである。マスター鍵Ｋｍは、受信側の装置ごとに付与される鍵である。コンテンツ共有制御システムでは、このマスター鍵Ｋｍを用いて、放送サービスの契約者のみに、ワーク鍵Ｋｗが暗号化されたＥＭＭを送信することで、当該契約者のみにコンテンツの視聴を限定するいわゆる限定受信が実現される。
【００３８】
コンテンツ蓄積鍵情報生成手段９は、少なくともコンテンツ蓄積鍵Ｋｃ及びコンテンツ共有許可情報Ｉｃを含むコンテンツ蓄積鍵情報を、ワーク鍵Ｋｗを用いて暗号化し、暗号化した暗号化コンテンツ蓄積鍵情報を、多重化送信手段１３に出力するものである。この暗号化コンテンツ蓄積鍵情報は、ワーク鍵Ｋｗの暗号化されたＥＭＭが送信された契約者のみに送信されるものである。
【００３９】
コンテンツ蓄積鍵Ｋｃは、受信側で、暗号化コンテンツＥＣを復号した後、この復号したコンテンツを再暗号化するための鍵であり、コンテンツごとに変更された鍵である。
コンテンツ共有許可情報Ｉｃは、受信側で蓄積したコンテンツの共有利用を制御するための情報であり、コンテンツごとに付与されるものである。なお、受信側にて共有利用できるコンテンツのことを、以下、共有コンテンツと呼称する。
【００４０】
共有化情報生成手段１１は、少なくとも受信装置間認証鍵（認証鍵）Ｋｓｈ１及び受信装置間共有鍵（共有鍵）Ｋｓｈ２を含む共有化情報を、ワーク鍵Ｋｗを用いて暗号化し、暗号化した暗号化共有化情報を、多重化送信手段１３に出力するものである。
【００４１】
受信装置間認証鍵Ｋｓｈ１は、受信側の装置において、同一のセッション鍵を生成する上で必要となるものである。この受信装置間認証鍵Ｋｓｈ１は、同一のセッション鍵を生成するシード（種）と呼ばれている。受信側の装置では、装置間の通信において、少なくとも受信装置間認証鍵Ｋｓｈ１を用いてセッション鍵を生成している。このセッション鍵は、データを秘匿化するために、様々データを暗号化するのに用いられると共に、当該データの改ざんを防止するために、当該データに認証コードを付加するのに用いられる。
【００４２】
受信装置間共有鍵Ｋｓｈ２は、受信側の装置間において、コンテンツ蓄積鍵Ｋｃ及びコンテンツ共有許可情報Ｉｃを共有するために、当該コンテンツ蓄積鍵Ｋｃ及びコンテンツ共有許可情報Ｉｃを再暗号化するための鍵である。
【００４３】
ここで図３を参照して、コンテンツ蓄積鍵情報及び共有化情報の例について説明する。
図３（ａ）に示すように、コンテンツ蓄積鍵情報には、コンテンツＩＤと、コンテンツ蓄積鍵Ｋｃと、コンテンツ共有許可情報Ｉｃとが含まれている。コンテンツＩＤは、コンテンツを一意に識別するための識別情報（コンテンツ識別）である。コンテンツ蓄積鍵Ｋｃは、共通鍵暗号化方式の鍵データである。コンテンツ共有許可情報Ｉｃは、コンテンツＩＤでリンク付けられたコンテンツの共有を許可する許可条件を記述したものである。
【００４４】
このコンテンツ共有許可情報Ｉｃには、コンテンツの共有を可能とする年月日・日時で指定された「共有許可の有効期限」と、コンテンツの共有を可能とする、受信してからの日数・時間で指定された「共有許可の有効期間」と、コンテンツの共有を可能とする他の受信側の装置への送信回数で指定された「共有許可の有効回数」との少なくとも１つが含まれている。
【００４５】
図３（ｂ）に示すように、共有化情報には、コンテンツＩＤと、受信装置間認証鍵Ｋｓｈ１と、受信装置間共有鍵Ｋｓｈ２とが含まれている。コンテンツＩＤは、コンテンツを一意に識別するための識別情報である。受信装置間認証鍵Ｋｓｈ１は、受信機間認証のためのシードであり、受信装置間共有鍵Ｋｓｈ２は、共通鍵暗号化方式の鍵データである。
図２に戻る。
【００４６】
多重化送信手段１３は、暗号化コンテンツＥＣ、ＥＣＭ、ＥＭＭ、暗号化コンテンツ蓄積鍵情報及び暗号化共有化情報を、放送の場合、ＭＰＥＧ−２ＴＳ、通信の場合、ＩＰパケットとして多重化し、多重化した多重化信号を受信側の装置に送信するものである。
【００４７】
このコンテンツ共有制御装置１によれば、コンテンツ蓄積鍵情報生成手段９によって、生成された暗号化コンテンツ蓄積鍵情報に含まれるコンテンツ共有許可情報Ｉｃにより、放送事業者のコントロールの下、共有コンテンツを利用できる受信側の装置を設定することができる。また、コンテンツ蓄積鍵Ｋｃを用いて、共有コンテンツを再暗号化することで、外部のネットワークを経由しても、受信側の装置間でコンテンツを共有することができる。
【００４８】
このコンテンツ共有制御装置１によれば、共有化情報生成手段１１によって、生成された暗号化共有化情報に含まれる受信装置間認証鍵Ｋｓｈ１により、受信側の装置間の認証を行っているので、共有コンテンツを、例えば、契約した視聴者所有の受信側の装置間のみに流通できるように設定することができる。また、受信装置間共有鍵Ｋｓｈ２によって、コンテンツ共有許可情報Ｉｃ及びコンテンツ蓄積鍵Ｋｃを再暗号化しているので、コンテンツ共有許可情報Ｉｃ及びコンテンツ蓄積鍵Ｋｃの漏洩を防止することができる。
【００４９】
（コンテンツ共有被制御装置［コンテンツを送信側から受信］の構成）
図４はコンテンツ共有被制御装置（コンテンツを送信側から受信）のブロック図である。この図４に示すように、コンテンツ共有被制御装置２１は、コンテンツを含む多重化信号を送信側から受信するもので、受信分離手段２３と、ＥＭＭ復号手段２５と、ワーク鍵蓄積手段２７と、ＥＣＭ復号手段２９と、デスクランブル手段３１と、コンテンツ蓄積鍵情報復号手段３３と、再暗号化手段３５と、コンテンツ蓄積手段３７と、共有化情報復号手段３９と、共有化情報蓄積手段４１と、コンテンツ蓄積鍵情報暗号化手段４３と、コンテンツ蓄積鍵情報蓄積手段４５と、認証通信手段４７とを備えている。
【００５０】
受信分離手段２３は、送信側の装置から送信された多重化信号を受信して、この多重化信号に多重化されている暗号化コンテンツＥＣと、ＥＣＭと、ＥＭＭと、暗号化コンテンツ蓄積鍵情報と、暗号化共有化情報とを分離し、暗号化コンテンツＥＣをデスクランブル手段３１に、ＥＣＭをＥＣＭ復号手段２９に、ＥＭＭをＥＭＭ復号手段２５に、暗号化コンテンツ蓄積鍵情報をコンテンツ蓄積鍵情報復号手段３３に、暗号化共有化情報を共有化情報復号手段３９に出力するものである。
【００５１】
ＥＭＭ復号手段２５は、受信分離手段２３から出力されたＥＭＭを、マスター鍵Ｋｍを用いて復号し、復号したワーク鍵Ｋｗをワーク鍵蓄積手段２７と、ＥＣＭ復号手段２９に出力するものである。
ワーク鍵蓄積手段２７は、ＥＭＭ復号手段２５から出力されたワーク鍵Ｋｗを蓄積するもので、一般的なメモリ等で構成されている。このワーク鍵蓄積手段２７は、蓄積しているワーク鍵Ｋｗを、適宜、コンテンツ蓄積鍵情報復号手段３３と、共有化情報復号手段３９とに出力する。
【００５２】
ＥＣＭ復号手段２９は、受信分離手段２３から出力されたＥＣＭを、ワーク鍵Ｋｗを用いて復号し、復号したスクランブル鍵Ｋｓをデスクランブル手段３１に出力するものである。
デスクランブル手段３１は、受信分離手段２３から出力された暗号化コンテンツＥＣを、スクランブル鍵Ｋｓを用いて復号し、非暗号文であるコンテンツＣを再暗号化手段３５に出力するものである。なお、このコンテンツＣを、外部に接続される表示装置（図示せず）に出力して視聴することができる。
【００５３】
コンテンツ蓄積鍵情報復号手段３３は、受信分離手段２３から出力された暗号化コンテンツ蓄積鍵情報を、ワーク鍵蓄積手段２７から出力されたワーク鍵Ｋｗを用いて復号し、復号したコンテンツ蓄積鍵情報からコンテンツ蓄積鍵Ｋｃ及びコンテンツ共有許可情報Ｉｃを取り出して、再暗号化手段３５及びコンテンツ蓄積鍵情報暗号化手段４３に出力するものである。
【００５４】
再暗号化手段３５は、デスクランブル手段３１から出力されたコンテンツＣを、コンテンツ蓄積鍵Ｋｃを用いて暗号化し、暗号化した、再暗号化コンテンツＲＥＣにコンテンツ共有許可情報Ｉｃを付加して、コンテンツ蓄積手段３７及び認証通信手段４７に出力するものである。
【００５５】
コンテンツ蓄積手段３７は、再暗号化手段３５から出力された再暗号化コンテンツＲＥＣ（コンテンツ共有許可情報Ｉｃが付加されている）を蓄積するもので、一般的なハードディスク等によって構成されている。なお、蓄積された再暗号化コンテンツＲＥＣは、認証通信手段４７にて、装置認証が成功した場合に、読み出されて、他の受信側の装置（後記するコンテンツ共有被制御装置５１）に出力される。
【００５６】
なお、この蓄積された再暗号化コンテンツＲＥＣの中で、コンテンツ共有許可情報Ｉｃに記述されている共有許可が有効なもの（共有許可の有効期限内、有効期間内、有効回数内のいずれかであること）が共有コンテンツとして、他の受信側の装置に出力されることとなる。
【００５７】
共有化情報復号手段３９は、受信分離手段２３から出力された共有化情報を、ワーク鍵蓄積手段２７から出力されたワーク鍵Ｋｗを用いて復号し、復号した共有化情報から受信装置間認証鍵Ｋｓｈ１及び受信装置間共有鍵Ｋｓｈ２を取り出して、共有化情報蓄積手段４１に出力するものである。
【００５８】
共有化情報蓄積手段４１は、共有化情報復号手段３９から出力された受信装置間認証鍵Ｋｓｈ１及び受信装置間共有鍵Ｋｓｈ２を蓄積するもので、一般的なメモリ等によって構成されている。この共有化情報蓄積手段４１は、適宜、蓄積している受信装置間認証鍵Ｋｓｈ１を認証通信手段４７に、蓄積している受信装置間共有鍵Ｋｓｈ２をコンテンツ蓄積鍵情報暗号化手段４３に出力する。
【００５９】
コンテンツ蓄積鍵情報暗号化手段４３は、コンテンツ蓄積鍵情報復号手段３３から出力されたコンテンツ蓄積鍵Ｋｃ及びコンテンツ共有許可情報Ｉｃを、共有化情報蓄積手段４１から出力された受信装置間共有鍵Ｋｓｈ２を用いて暗号化し、暗号化したコンテンツ蓄積鍵情報をコンテンツ蓄積鍵情報蓄積手段４５に出力するものである。
【００６０】
コンテンツ蓄積鍵情報蓄積手段４５は、コンテンツ蓄積鍵情報暗号化手段４３から出力された暗号化したコンテンツ蓄積鍵情報を蓄積するもので、一般的なメモリ等によって構成されている。このコンテンツ蓄積鍵情報蓄積手段４５は、蓄積している暗号化したコンテンツ蓄積鍵情報（暗号化したコンテンツ蓄積鍵ＥＫｃ及び暗号化したコンテンツ共有許可情報ＥＩｃ）を、適宜、認証通信手段４７に出力する。
【００６１】
認証通信手段４７は、他の受信側の装置（後記するコンテンツ共有被制御装置５１）からの要求に基づいて、再暗号化コンテンツＲＥＣ、暗号化したコンテンツ蓄積鍵情報（暗号化したコンテンツ蓄積鍵ＥＫｃ及び暗号化したコンテンツ共有許可情報ＥＩｃ）を当該他の受信側の装置に送信するものである。
【００６２】
この認証通信手段４７の処理を詳細に説明する。まず、認証通信手段４７は、他の受信側の装置（後記するコンテンツ共有被制御装置５１）からコンテンツＩＤ（コンテンツ識別）が記述されたコンテンツ送信要求を受信する。次に、認証通信手段４７は、このコンテンツ送信要求に基づいて、要求されたコンテンツＩＤに対応するコンテンツ共有許可情報Ｉｃがコンテンツ蓄積手段３７に蓄積されているか否かをチェックする。
【００６３】
そして、認証通信手段４７は、該当するコンテンツ（再暗号化コンテンツＲＥＣ）が蓄積されていて、且つ、このコンテンツ共有許可情報Ｉｃの共有が許可されている場合に、他の受信側の装置に共有ＯＫメッセージを送信する。
【００６４】
また、認証通信手段４７は、受信装置間認証鍵Ｋｓｈ１を用いて、他の受信側の装置について装置認証を行って、この装置認証が成功した場合に、装置認証の過程で生成したセッション鍵で通信路を暗号化する。
【００６５】
さらに、認証通信手段４７は、コンテンツ蓄積手段３７から再暗号化コンテンツＲＥＣを読み出すと共に、コンテンツ蓄積鍵情報蓄積手段４５から暗号化したコンテンツ蓄積鍵情報（暗号化したコンテンツ蓄積鍵ＥＫｃ及び暗号化したコンテンツ共有許可情報ＥＩｃ）を読み出して、これらを、セッション鍵で暗号化した通信路を用いて他の受信側の装置に送信する。
【００６６】
なお、認証通信手段４７は、コンテンツ送信要求に基づいて、要求されたコンテンツＩＤに対応するコンテンツ共有許可情報Ｉｃがコンテンツ蓄積手段３７に蓄積されているか否かをチェックした際に、該当するコンテンツが蓄積されていない場合、又は、コンテンツ共有許可情報Ｉｃの共有が許可されていない記述があった場合、他の受信側の装置に共有ＮＧメッセージ（主に、コンテンツが蓄積されていない、有効期限切れ、有効期間外、有効回数オーバー）を送信し、通信を終了する。
【００６７】
また、認証通信手段４７は、他の受信側の装置について装置認証を行った際に、装置認証が失敗した場合、当該他の受信側の装置に、共有が許可されていない旨のメッセージ（共有ＮＧメッセージとは異なり、受信側の装置が認証されないことを示すメッセージ）を送信し（放送事業者等と契約されていない受信側の装置であることを通知し）、通信を終了する。
【００６８】
このコンテンツ共有被制御装置２１によれば、コンテンツ共有許可情報Ｉｃに従って、放送事業者のコントロールの下、再暗号化コンテンツＲＥＣを共有コンテンツとして利用することができる。コンテンツ蓄積鍵Ｋｃを用いてコンテンツＣを再暗号化することで、外部のネットワークを経由しても、受信側の装置間でコンテンツを共有することができる。さらに、受信側装置間認証鍵Ｋｓｈ１によって、受信側の装置間の認証を行っているので、再暗号化コンテンツＲＥＣを、例えば、契約した視聴者所有の受信側の装置間のみに流通できるように設定することができる。また、受信側装置間共有鍵Ｋｓｈ２によって、コンテンツ共有許可情報Ｉｃ及びコンテンツ蓄積鍵Ｋｃを再暗号化しているので、コンテンツ共有許可情報Ｉｃ及びコンテンツ蓄積鍵Ｋｃの漏洩、不正使用を防止することができる。
【００６９】
（コンテンツ共有被制御装置［コンテンツを受信側で共有］の構成）
図５はコンテンツ共有被制御装置（コンテンツを受信側で共有）のブロック図である。この図５に示すように、コンテンツ共有被制御装置５１は、暗号化コンテンツＥＣの多重化された多重化信号を直接受信しなかった場合に、他の受信側の装置（前記したコンテンツ共有被制御装置２１）から該当するコンテンツ（再暗号化コンテンツＲＥＣ）を、共有コンテンツとして受信するもので、受信分離手段５３と、ＥＭＭ復号手段２５と、ワーク鍵蓄積手段２７と、コンテンツ蓄積手段５７と、共有化情報復号手段３９と、共有化情報蓄積手段４１と、認証通信手段５５と、コンテンツ蓄積手段５７と、コンテンツ蓄積鍵情報復号手段５９と、コンテンツ蓄積鍵情報蓄積手段６１と、復号手段６３とを備えている。
【００７０】
なお、このコンテンツ共有被制御装置５１では、暗号化コンテンツＥＣの多重化された多重化信号を受信するための構成を省略しており、予めＥＭＭ及び暗号化共有化情報のみが受信されていることとしている。また、図４に示したコンテンツ共有被制御装置２１と同様の構成は同一の符号を付して、重複する説明は省略する。
【００７１】
受信分離手段５３は、受信した受信信号（ＥＭＭ及び暗号化共有化情報）を、ＥＭＭと、暗号化共有化情報とに分離し、ＥＭＭをＥＭＭ復号手段２５に、暗号化共有化情報を共有化情報復号手段３９に出力する。
【００７２】
認証通信手段５５は、他の受信側の装置（前記したコンテンツ共有被制御装置２１）に要求を出力し、共有したい再暗号化コンテンツＲＥＣ、暗号化したコンテンツ蓄積鍵情報（暗号化したコンテンツ蓄積鍵ＥＫｃ及び暗号化したコンテンツ共有許可情報ＥＩｃ）を当該他の受信側の装置に受信するものである。
【００７３】
この認証通信手段５５の処理を詳細に説明する。まず、認証通信手段５５は、他の受信側の装置（前記したコンテンツ共有被制御装置２１）に、共有したいコンテンツのコンテンツＩＤ（コンテンツ識別）を記述したコンテンツ送信要求を送信する。続いて、認証通信手段５５は、他の受信側の装置から送信された共有ＯＫメッセージを受信した場合、受信装置間認証鍵Ｋｓｈ１を用いて、他の受信側の装置について装置認証を行って、この装置認証が成功した場合に、装置認証の過程で生成したセッション鍵で通信路を暗号化する。
【００７４】
そして、認証通信手段５５は、セッション鍵で暗号化した通信路を用いて他の受信側の装置から送信された再暗号化コンテンツＲＥＣ、暗号化したコンテンツ蓄積鍵情報（暗号化したコンテンツ蓄積鍵ＥＫｃ及び暗号化したコンテンツ共有許可情報ＥＩｃ）を受信する。
【００７５】
そして、認証通信手段５５は、再暗号化コンテンツＲＥＣをコンテンツ蓄積手段５７に出力すると共に、コンテンツ蓄積鍵情報蓄積手段６１に暗号化したコンテンツ蓄積鍵情報（暗号化したコンテンツ蓄積鍵ＥＫｃ及び暗号化したコンテンツ共有許可情報ＥＩｃ）を出力する。
【００７６】
コンテンツ蓄積手段５７は、認証通信手段５５から出力された再暗号化コンテンツＲＥＣを蓄積するもので、一般的なハードディスク等によって構成されている。なお、このコンテンツ蓄積手段５７に蓄積される再暗号化コンテンツＲＥＣには、コンテンツ共有許可情報Ｉｃが付加されていてもいなくてもよい。
【００７７】
コンテンツ蓄積鍵情報復号手段５９は、コンテンツ蓄積鍵情報蓄積手段６１から出力された暗号化したコンテンツ蓄積鍵情報（暗号化したコンテンツ蓄積鍵ＥＫｃ及び暗号化したコンテンツ共有許可情報ＥＩｃ）を、共有化情報蓄積手段４１から出力された受信装置間共有鍵Ｋｓｈ２を用いて復号し、復号したコンテンツ蓄積鍵Ｋｃ及びコンテンツ共有許可情報Ｉｃを、復号手段６３に出力するものである。
【００７８】
なお、コンテンツ蓄積鍵情報復号手段５９は、復号したコンテンツ共有許可情報Ｉｃをチェックし、当該コンテンツ共有許可情報Ｉｃに、共有が許可されていない記述があった場合、認証通信手段５５に通知して（図中、点線）、認証通信手段５５は、共有ＮＧメッセージを他の受信側の装置（コンテンツ共有被制御装置２１）に送信する。
【００７９】
この実施の形態では、コンテンツ共有被制御装置２１及びコンテンツ共有被制御装置５１の双方で、コンテンツ共有許可情報Ｉｃをチェックすることとしているが、どちらか一方のみがチェックすればよい。
【００８０】
コンテンツ蓄積鍵情報蓄積手段６１は、認証通信手段５５から出力された暗号化したコンテンツ蓄積鍵ＥＫｃ及びコンテンツ共有許可情報ＥＩｃを蓄積するもので、一般的なメモリ等から構成されている。このコンテンツ蓄積鍵情報蓄積手段６１は、蓄積している暗号化したコンテンツ蓄積鍵情報（コンテンツ蓄積鍵Ｋｃ及びコンテンツ共有許可情報Ｉｃ）を、適宜、コンテンツ蓄積鍵情報復号手段５９に出力する。
【００８１】
復号手段６３は、コンテンツ蓄積手段５７から出力された再暗号化コンテンツＲＥＣを、コンテンツ蓄積鍵情報復号手段５９から出力されたコンテンツ共有許可情報Ｉｃに従って、同様に出力されたコンテンツ蓄積鍵Ｋｃを用いて復号し、復号したコンテンツＣを出力するものである。
【００８２】
このコンテンツ共有被制御装置５１によれば、コンテンツ蓄積鍵情報復号手段５９によって、暗号化したコンテンツ共有許可情報ＥＩｃ及びコンテンツ蓄積鍵ＥＫｃを、受信装置間共有鍵Ｋｓｈ２を用いて復号し、復号手段６３によって、復号したコンテンツ共有許可情報Ｉｃ及びコンテンツ蓄積鍵Ｋｃを用いて、再暗号化コンテンツＲＥＣを復号して利用することができる。
【００８３】
なお、前記したように、コンテンツ共有被制御装置２１とコンテンツ共有被制御装置５１との間で、再暗号化コンテンツＲＥＣ及び暗号化したコンテンツ蓄積鍵情報（暗号化したコンテンツ蓄積鍵ＥＫｃ及び暗号化したコンテンツ共有許可情報ＥＩｃ）の通信を行う際に、コンテンツ共有許可情報Ｉｃのチェックを行って、共有が許可されていない記述があった場合、いずれか一方が他方に共有ＮＧメッセージを送信することとなっているが、共有が許可されていない記述があった場合とは、有効期限が切れていたり、有効期間外であったり、有効回数をオーバーしている場合を指している。
【００８４】
また、コンテンツ共有被制御装置２１の認証通信手段４７とコンテンツ共有被制御装置５１の認証通信手段５５との一方は、再暗号化コンテンツＲＥＣ及び暗号化したコンテンツ蓄積鍵情報（暗号化したコンテンツ蓄積鍵ＥＫｃ及び暗号化したコンテンツ共有許可情報ＥＩｃ）の通信を行うたびに、コンテンツ共有許可情報Ｉｃに記述されている有効回数をディクリメントし書き換える構成となっている。
【００８５】
さらに、この実施の形態では、コンテンツを送信側から受信するコンテンツ共有被制御装置２１と、コンテンツを受信側で共有するコンテンツ共有被制御装置５１とに分けて説明したが、双方の手段を備えていてもよい。
【００８６】
コンテンツ共有制御装置１、コンテンツ共有被制御装置２１及びコンテンツ共有被制御装置５１を含むコンテンツ共有制御システムにおいて、共有コンテンツを許可するサービスを有料とする場合には、契約者のみにワーク鍵Ｋｗが暗号化されたＥＭＭを送信すればよい。仮に、契約者が契約を解約した場合、該当する者が所有する受信側の装置にＥＭＭを送信しないようにし、契約者が料金不払いになった場合、当該契約者が所有する受信側の装置にＥＭＭを送信しないか、警告情報（放送事業者側から解約する旨を記述したもの）を送信する。
【００８７】
また、共有コンテンツを許可するサービスを有料とする場合で、さらに、映画等の特定のコンテンツのみを共有させたくない場合には、コンテンツ共有許可情報Ｉｃに記述するか、送信側のコンテンツ共有制御装置１からコンテンツ蓄積鍵情報を送信しないようにすればよい。そうすると、受信側のコンテンツ共有被制御装置２１では、コンテンツ蓄積鍵情報を受信できないので、暗号化コンテンツＥＣを復号した後、当該装置２１内で生成した暗号鍵で暗号化することになり、他の受信側の装置に出力しても、再生することはできない。
【００８８】
また、この場合、コンテンツ共有被制御装置２１とコンテンツ共有被制御装置５１との間で、コンテンツ（再暗号化コンテンツＲＥＣ）を共有しようとしても、少なくともどちらか一方でコンテンツ共有許可情報Ｉｃをチェックすることになるので、結局、どちらか一方から他方へ共有ＮＧメッセージが出力されることになり、共有はできない。
【００８９】
（コンテンツ共有制御システムの全体動作）
次に、図６に示すシーケンスチャートを参照して、コンテンツ共有制御システムの全体動作について説明する（適宜、図２、図４、図５を参照）。
まず、送信側のコンテンツ共有制御装置１は、契約者が所有する受信側の装置（受信側Ａ：コンテンツ共有被制御装置２１、受信側Ｂ：コンテンツ共有被制御装置５１）にワーク鍵Ｋｗを暗号化したＥＭＭを送信する（ステップａ１）。
【００９０】
そうすると、受信側Ａのコンテンツ共有被制御装置２１は、ＥＭＭを受信して、ＥＭＭ復号手段２５によって、マスター鍵Ｋｍを用いて復号し、得られたワーク鍵Ｋｗをワーク鍵蓄積手段２７に蓄積する（ステップｂ１）。同様に、受信側Ｂのコンテンツ共有被制御装置５１も、ＥＭＭを受信して、ＥＭＭ復号手段２５によって、マスター鍵Ｋｍを用いて復号し、得られたワーク鍵Ｋｗをワーク鍵蓄積手段２７に蓄積する（ステップｃ１）。
【００９１】
続いて、送信側のコンテンツ共有制御装置１は、暗号化共有化情報（暗号化した受信装置間認証鍵Ｋｓｈ１及び暗号化した受信装置間共有鍵Ｋｓｈ２）を、受信側の装置に向け一斉に送信する（ステップａ２）。
【００９２】
そうすると、受信側Ａのコンテンツ共有被制御装置２１は、暗号化共有化情報を受信して、共有化情報復号手段３９によって、ワーク鍵Ｋｗを用いて復号し、得られた受信装置間認証鍵Ｋｓｈ１及び受信装置間共有鍵Ｋｓｈ２を、共有化情報蓄積手段４１に蓄積する（ステップｂ２）。同様に、受信側Ｂのコンテンツ共有被制御装置５１も、暗号化共有化情報を受信して、共有化情報復号手段３９によって、ワーク鍵Ｋｗを用いて復号し、得られた受信装置間認証鍵Ｋｓｈ１及び受信装置間共有鍵Ｋｓｈ２を、共有化情報蓄積手段４１に蓄積する（ステップｃ２）。また、未契約者が所有する受信側の装置（受信側Ｃ）は、暗号化共有化情報を受信しても、ワーク鍵Ｋｗを受け取っていないので、復号できず、受信装置間認証鍵Ｋｓｈ１及び受信装置間共有鍵Ｋｓｈ２を蓄積することが不可能となる（ステップｄ１）。
【００９３】
そして、送信側のコンテンツ共有制御装置１は、暗号化コンテンツＥＣ、ＥＣＭ、暗号化コンテンツ蓄積鍵情報を多重化した多重化信号を、受信側の装置に向け一斉に送信する（ステップａ３）。
【００９４】
そうすると、受信側Ａのコンテンツ共有被制御装置２１は、多重化信号を受信して、暗号化コンテンツＥＣ、ＥＣＭ、暗号化コンテンツ蓄積鍵情報に分離し、暗号化コンテンツ蓄積鍵情報を復号してからコンテンツ蓄積鍵Ｋｃ及びコンテンツ共有許可情報Ｉｃを取り出し、ＥＣＭを復号してからスクランブル鍵Ｋｓを取り出す。そして、受信側Ａのコンテンツ共有被制御装置２１は、暗号化コンテンツＥＣをデスクランブルし、得られたコンテンツＣを、コンテンツ蓄積鍵Ｋｃを用いて再暗号化した再暗号化コンテンツＲＥＣと、取り出したコンテンツ蓄積鍵Ｋｃ及びコンテンツ共有許可情報Ｉｃを、受信装置間共有鍵Ｋｓｈ２を用いて暗号化したコンテンツ蓄積鍵ＥＫｃ及び暗号化したコンテンツ共有許可情報ＥＩｃとを蓄積する（ステップｂ３）。
【００９５】
なお、受信側Ｂのコンテンツ共有被制御装置５１は、電源オフの状態で、暗号化コンテンツＥＣ、ＥＣＭ、暗号化コンテンツ蓄積鍵情報を多重化した多重化信号を受信することができなかった（未受信）（ステップｃ３）。
また、未契約者が所有する受信側の装置（受信側Ｃ）は、多重化信号を受信して、暗号化コンテンツＥＣを復号し、当該装置内で生成した暗号鍵を用いて、復号したコンテンツＣを再暗号化（ローカル暗号化）して蓄積する（ステップｄ２）。
【００９６】
そして、受信側Ｂのコンテンツ共有被制御装置５１は、受信できなかった暗号化コンテンツＥＣの共有化を受信側Ａのコンテンツ共有被制御装置２１に行う（ステップｃ４）。そうすると、受信側Ａのコンテンツ共有被制御装置２１は、受信装置間認証鍵Ｋｓｈ１を用いて、装置認証を行って（ステップｂ４）、当該装置認証が成功した場合、再暗号化コンテンツＲＥＣ、暗号化したコンテンツ蓄積鍵ＥＫｃ、暗号化したコンテンツ共有許可情報ＥＩｃを、受信側Ｂのコンテンツ共有被制御装置５１に送信する（ステップｂ５）。
【００９７】
そうすると、受信側Ｂのコンテンツ共有被制御装置５１は、再暗号化コンテンツＲＥＣ、暗号化したコンテンツ蓄積鍵ＥＫｃ、暗号化したコンテンツ共有許可情報ＥＩｃを受信し（ステップｃ５）、受信装置間共有鍵Ｋｓｈ２を用いて、暗号化したコンテンツ蓄積鍵ＥＫｃ、暗号化したコンテンツ共有許可情報ＥＩｃを復号し、得られたコンテンツ蓄積鍵Ｋｃを用いて、再暗号化コンテンツＲＥＣを復号し、コンテンツＣを得る（ステップｃ６）。
【００９８】
これまで記載したように、コンテンツ共有制御システム（コンテンツ共有制御装置１、コンテンツ共有被制御装置２１及びコンテンツ共有被制御装置５１を包含）では、コンテンツを管理する管理コストを低く抑え（コンテンツ蓄積鍵情報、共有化情報を管理するのみ）、且つ、送信側の放送事業者等と契約した契約者に対してのみ、コンテンツごとに共有許可を制御することが可能になる。このため、放送事業者等のコントロールの下、受信側において、共有を許可したいコンテンツは積極的に共有させ、共有を許可したくないコンテンツ（著作権保護が手厚いもの）は共有を禁止することができる。
【００９９】
また、コンテンツ共有制御システムでは、受信側の視聴者にとって、以下に記載するメリットが生じる。受信側の視聴者は、見逃したコンテンツが、他の受信側の装置に蓄積されており、当該コンテンツの共有が放送事業者から許可されていた場合、共有コンテンツとして他の受信側の装置からダウンロード又はストリーミング受信して視聴することができる。
【０１００】
さらに、コンテンツ共有制御システムでは、送信側の放送事業者等にとって、以下に記載するメリットが生じる。放送事業者等は、契約者に対してのみコンテンツの共有を許可することができるので、コンテンツの共有を許可するサービスを月極数百円程度で提供することができる。
【０１０１】
また、放送事業者等は、コンテンツ共有許可情報Ｉｃの記述によって、共有可能な期間や共有可能な回数をコンテンツごとに制御することができるので、例えば、連続ドラマ等において、前週放送のドラマを共有化させて多くの視聴者に視聴させておくことで、最新の本放送のドラマの視聴率を向上させることができる。
【０１０２】
この場合、前週放送のドラマを共有コンテンツとし、当該前週放送のドラマが放送されてから最新の本放送のドラマが放送されまでの期間を共有可能な期間として限定しておくことで、前週放送のドラマへの接触率を高めることができ、この共有可能な期間を終了後には、別途、前週放送のドラマ（それ以前に放送されたものも含む）をアーカイブコンテンツとしてＤＶＤ販売する等の新しいビジネスモデルを展開することができる。
【０１０３】
さらに、放送事業者等は、一度放送したコンテンツにコンテンツ蓄積鍵情報及び共有化情報を付加して、インターネット等に配信することで再利用するビジネスを展開することができ、膨大な視聴者から、一度放送したコンテンツの配信が要求された場合（視聴者からすれば、見逃した番組や蓄積し忘れた番組）であっても、受信側の装置間で該当するコンテンツを共有させることが可能になるので、高性能の配信サーバを用意しておく必要が無くなり、低コストで一度放送したコンテンツを再提供することができる。
【０１０４】
以上、本発明の実施形態について説明したが、本発明は前記実施形態には限定されない。例えば、本実施形態では、コンテンツ共有制御装置１、コンテンツ共有被制御装置２１及びコンテンツ共有被制御装置５１の説明をしたが、各装置の構成が処理していることを、コンピュータ言語で記述したコンテンツ共有制御プログラム、コンテンツ共有被制御プログラムとして構成することも可能である。
【図面の簡単な説明】
【０１０５】
【図１】本発明の実施形態に係るコンテンツ共有制御システム（コンテンツ共有制御装置及びコンテンツ共有被制御装置を包含）の全体を示した概要図である。
【図２】本発明の実施形態に係るコンテンツ共有制御装置のブロック図である。
【図３】コンテンツ蓄積鍵情報、共有化情報の例を示した図である。
【図４】本発明の実施形態に係るコンテンツ共有被制御装置（コンテンツを送信側から受信）のブロック図である。
【図５】本発明の実施形態に係るコンテンツ共有被制御装置（コンテンツを受信側で共有）のブロック図である。
【図６】コンテンツ共有制御システムの全体動作を示したシーケンスチャートである。
【符号の説明】
【０１０６】
１          コンテンツ共有制御装置
３          スクランブル手段
５          ＥＣＭ生成手段
７          ＥＭＭ生成手段
９          コンテンツ蓄積鍵情報生成手段
１１        共有化情報生成手段
１３        多重化送信手段（コンテンツ蓄積鍵情報送信手段、共有化情報送信手段）
２１、５１  コンテンツ共有被制御装置
２３、５３  受信分離手段
２５        ＥＭＭ復号手段
２７        ワーク鍵蓄積手段
２９        ＥＣＭ復号手段
３１        デスクランブル手段
３３、５９  コンテンツ蓄積鍵情報復号手段
３５        再暗号化手段
３７、５７  コンテンツ蓄積手段
３９        共有化情報復号手段
４１        共有化情報蓄積手段
４３        コンテンツ蓄積鍵情報暗号化手段
４５、６１  コンテンツ蓄積鍵情報蓄積手段
４７、５５  認証通信手段
６３        復号手段
【図１】
2008177889.tif 000003
【図２】
2008177889.tif 000004
【図３】
2008177889.tif 000005
【図４】
2008177889.tif 000006
【図５】
2008177889.tif 000007
【図６】
2008177889.tif 000008